(57)【要約】【課題】検索要求に対して適切な検索結果を出力することのできる文書検索装置、文書検索方法、文書検索プログラム及び記録媒体の提供を目的とする。【解決手段】検索語と関連語とに基づいて所定の文書情報の集合に対して検索を実行する文書検索装置であって、前記検索語を入力させる入力手段と、前記所定の文書情報の集合とは異なる第二の文書情報の集合より前記検索語に基づいて検索される文書情報の集合を関連文書情報として取得する関連文書検索手段と、前記関連文書情報より前記関連語を抽出する関連語抽出手段とを有することにより上記課題を解決する。【選択図】図２
2007133769.tif 000002
【特許請求の範囲】
【請求項１】
検索語と関連語とに基づいて所定の文書情報の集合に対して検索を実行する文書検索装置であって、
前記検索語を入力させる入力手段と、
前記所定の文書情報の集合とは異なる第二の文書情報の集合より前記検索語に基づいて検索される文書情報の集合を関連文書情報として取得する関連文書検索手段と、
前記関連文書情報より前記関連語を抽出する関連語抽出手段とを有することを特徴とする文書検索装置。
【請求項２】
前記第二の文書情報の集合は、前記所定の文書情報の集合より大きいことを特徴とする請求項１記載の文書検索装置。
【請求項３】
前記入力手段は更に、複数の文書情報の集合の中から前記第二の文書情報の集合を指定させることを特徴とする請求項１又は２記載の文書検索装置。
【請求項４】
前記関連文書検索手段は、前記検索語に基づいて検索される文書情報の集合を所定の属性値に基づいて分類し、分類された文書情報の数に基づいて前記関連文書情報とする文書情報の集合を選択することを特徴とする請求項１乃至３いずれか一項記載の文書検索装置。
【請求項５】
前記入力手段は更に、前記文書情報の所定の属性値を入力させ、
前記関連文書検索手段は、入力された前記所定の属性値に係る文書情報の集合を前記関連文書情報とすることを特徴とする請求項１乃至３いずれか一項記載の文書検索装置。
【請求項６】
前記文書情報は、書籍のタイトルであり、
前記所定の属性値は、前記書籍の分野であることを特徴とする請求項４又は５記載の文書検索装置。
【請求項７】
検索語と関連語とに基づいて所定の文書情報の集合に対して検索を実行する文書検索装置における文書検索方法であって、
前記検索語を入力させる入力手順と、
前記所定の文書情報の集合とは異なる第二の文書情報の集合より前記検索語に基づいて検索される文書情報の集合を関連文書情報として取得する関連文書検索手順と、
前記関連文書情報より前記関連語を抽出する関連語抽出手順とを有することを特徴とする文書検索方法。
【請求項８】
前記第二の文書情報の集合は、前記所定の文書情報の集合より大きいことを特徴とする請求項７記載の文書検索方法。
【請求項９】
前記入力手順は更に、複数の文書情報の集合の中から前記第二の文書情報の集合を指定させることを特徴とする請求項７又は８記載の文書検索方法。
【請求項１０】
前記関連文書検索手順は、前記検索語に基づいて検索される文書情報の集合を所定の属性値に基づいて分類し、分類された文書情報の数に基づいて前記関連文書情報とする文書情報の集合を選択することを特徴とする請求項７乃至９いずれか一項記載の文書検索方法。
【請求項１１】
前記入力手順は更に、前記文書情報の所定の属性値を入力させ、
前記関連文書検索手順は、入力された前記所定の属性値に係る文書情報の集合を前記関連文書情報とすることを特徴とする請求項７乃至９いずれか一項記載の文書検索方法。
【請求項１２】
前記文書情報は、書籍のタイトルであり、
前記所定の属性値は、前記書籍の分野であることを特徴とする請求項１０又は１１記載の文書検索方法。
【請求項１３】
コンピュータに、検索語と関連語とに基づいて所定の文書情報の集合に対する検索を実行させる文書検索プログラムであって、
前記検索語を入力させる入力手順と、
前記所定の文書情報の集合とは異なる第二の文書情報の集合より前記検索語に基づいて検索される文書情報の集合を関連文書情報として取得する関連文書検索手順と、
前記関連文書情報より前記関連語を抽出する関連語抽出手順とを有することを特徴とする文書検索プログラム。
【請求項１４】
前記第二の文書情報の集合は、前記所定の文書情報の集合より大きいことを特徴とする請求項１３記載の文書検索プログラム。
【請求項１５】
前記入力手順は更に、複数の文書情報の集合の中から前記第二の文書情報の集合を指定させることを特徴とする請求項１３又は１４記載の文書検索プログラム。
【請求項１６】
前記関連文書検索手順は、前記検索語に基づいて検索される文書情報の集合を所定の属性値に基づいて分類し、分類された文書情報の数に基づいて前記関連文書情報とする文書情報の集合を選択することを特徴とする請求項１３乃至１５いずれか一項記載の文書検索プログラム。
【請求項１７】
前記入力手順は更に、前記文書情報の所定の属性値を入力させ、
前記関連文書検索手順は、入力された前記所定の属性値に係る文書情報の集合を前記関連文書情報とすることを特徴とする請求項１３乃至１５いずれか一項記載の文書検索プログラム。
【請求項１８】
前記文書情報は、書籍のタイトルであり、
前記所定の属性値は、前記書籍の分野であることを特徴とする請求項１６又は１７記載の文書検索プログラム。
【請求項１９】
請求項１３乃至１８いずれか一項記載の文書検索プログラムを記録したコンピュータ読み取り可能な記録媒体。
【発明の詳細な説明】
【技術分野】
【０００１】
本発明は、文書検索装置、文書検索方法、文書検索プログラム及び記録媒体に関し、特に検索語と関連語とに基づいて所定の文書情報の集合に対して検索を実行する文書検索装置、文書検索方法、文書検索プログラム及び記録媒体に関する。
【背景技術】
【０００２】
文書検索の分野において、検索結果が利用者の検索要求に合致しているか否かは重要な評価基準の一つである。従来、利用者の意図に沿った検索結果を得るための技術として関連語展開が知られている。
【０００３】
関連語展開は、検索語に検索語と関連が深いと思われる語を追加する技術である。関連語展開によれば、与えられた検索語だけで検索する場合に比べ、漏れのない検索が可能となる。よく知られた関連語展開の方法として、類義語辞書を使って検索語の類義語を調べ、検索語に追加する方法がある（例えば、特許文献１及び特許文献２）。また別の方法として、与えられた検索語でまず検索し、得られた検索結果に含まれる単語を共起語として、元の検索語に追加する方法もある（例えば、特許文献３）。
【特許文献１】特開２００２−１０８９１４号公報
【特許文献２】特許第２８５０９５２号公報
【特許文献３】特開２００４−１７８４２１号公報
【発明の開示】
【発明が解決しようとする課題】
【０００４】
しかしながら、前者の方法では、類義語辞書に載っている単語しか展開できないという制限がある。そのため、新語に対応するためには類義語辞書の保守といった煩雑な作業が必要とされるという問題がある。また、後者の方法では、検索対象のデータが書籍のタイトルのように短い場合等、本来であればほとんど共起しない単語であるにもかかわらず共起語と判定され得るという問題がある。これは、検索結果に含まれる単語自体が少なくなり、共起語の候補も少なくなることに起因する。
【０００５】
本発明は、上記の点に鑑みてなされたものであって、検索要求に対して適切な検索結果を出力することのできる文書検索装置、文書検索方法、文書検索プログラム及び記録媒体の提供を目的とする。
【課題を解決するための手段】
【０００６】
そこで上記課題を解決するため、本発明は、検索語と関連語とに基づいて所定の文書情報の集合に対して検索を実行する文書検索装置であって、前記検索語を入力させる入力手段と、前記所定の文書情報の集合とは異なる第二の文書情報の集合より前記検索語に基づいて検索される文書情報の集合を関連文書情報として取得する関連文書検索手段と、前記関連文書情報より前記関連語を抽出する関連語抽出手段とを有することを特徴とする
このような文書検索装置では、検索要求に対して適切な検索結果を出力することができる。
【０００７】
また、上記課題を解決するため、本発明は、上記文書検索装置における文書検索方法、前記文書検索方法をコンピュータに実行させるための文書検索プログラム、又は前記文書検索プログラムを記録した記録媒体としてもよい。
【発明の効果】
【０００８】
本発明によれば、検索要求に対して適切な検索結果を出力することのできる文書検索装置、文書検索方法、文書検索プログラム及び記録媒体を提供することができる。
【発明を実施するための最良の形態】
【０００９】
以下、図面に基づいて本発明の実施の形態を説明する。図１は、本発明の実施の形態における文書検索装置のハードウェア構成例を示す図である。
【００１０】
図１の文書検索装置１０は、それぞれ相互に接続されているドライブ装置１００と、補助記憶装置１０２と、メモリ装置１０３と、演算処理装置１０４と、表示装置１０５と、入力装置１０６と等を有するように構成される。
【００１１】
文書検索装置１０での処理を実現するプログラムは、CD―ROM等の記録媒体１０１によって提供される。プログラムを記録した記録媒体１０１がドライブ装置１００にセットされると、プログラムが記録媒体１０１からドライブ装置１００を介して補助記憶装置１０２にインストールされる。補助記憶装置１０２は、インストールされたプログラムを格納すると共に、プログラムの処理に必要な各種のデータを格納する。
【００１２】
メモリ装置１０３は、プログラムの起動指示があった場合に、補助記憶装置１０２からプログラムを読み出して格納する。演算処理装置１０４は、メモリ装置１０３に格納されたプログラムに従って文書検索装置１０に係る機能を実行する。表示装置１０５はプログラムによるＧＵＩ（Graphical User Interface）等を表示する。入力装置１０６はキーボード及びマウス等で構成され、様々な操作指示を入力するために用いられる。
【００１３】
なお、文書検索装置１０は、複数のコンピュータによって構成してもよい。例えば、文書検索装置１０をクライアント・サーバシステムとして構成する場合、サーバ側には表示装置１０５及び入力装置１０６は、必ずしも必要ではない。
【００１４】
図２は、第一の実施の形態における文書検索装置の機能構成例を示す図である。第一の実施の形態では、書籍のタイトルを類似検索する例を説明する。
【００１５】
図２において、文書検索装置１０は、入力手段１１、関連文書検索手段１２、関連語選択手段１３、検索手段１４、出力手段１５、関連語展開用データベース１６、及びタイトル検索用データベース１７等より構成される。
【００１６】
入力手段１１は、検索語をシステムに与えるためのユーザインターフェースである。キーボードであったりディスプレイのタッチパネルであったりマイクと音声認識システムであったりする。すなわち、ユーザは、入力手段１１を介して、求める書籍のタイトルと何らかの関連があると思われる文字列を検索語として入力する。この関連とは、タイトルに当該文字列がそのまま含まれることであったり、タイトルに当該文字列と類似の表現が含まれることであったり、当該文字列と同時に使われやすい文字列がタイトルに含まれることであったりする。
【００１７】
関連文書検索手段１２は、検索語を入力手段１１から受け取り、当該検索語に基づいて関連語展開用データベース１６より文書情報を検索する。検索は、検索語を単語に解析して単語単位の検索であったり、N-gramと呼ばれるその文字列に現れる連続する長さNの文字列を取得してその長さNの文字列単位での検索であったりする。関連文書検索手段１２による検索結果（以下「関連文書情報」という。）は、これらの検索単位の一部を含むタイトルであったり、全てを含むタイトルであったり、各タイトルに検索語に対するスコアを付けてその上位M件に含まれるタイトルであったりする。
【００１８】
関連語展開用データベース１６は、タイトル検索用データベース１７とは異なる文書情報の集合である。関連語展開用データベース１６は、少なくとも検索対象となる文書情報（ここでは、書籍のタイトル）の一覧を保持している。単語等の検索単位が、タイトルの一覧の何番目に含まれるかという索引情報を保持していてもよい。この索引情報により高速な検索が可能となる。
【００１９】
関連語選択手段１３は、関連文書情報を構成する単語の中から、ユーザが与えた検索語と関連する文字列を関連語として抽出し、その間連語を検索語に追加する。関連語を選択する基準は、例えば、得られた関連文書情報（例えば、タイトルの集合）における出現頻度が高いもの選択するといったものや、関連文書情報には含まれないタイトルの集合における出現頻度が低いものを選択するといったものでもよい。
【００２０】
検索手段１４は、関連語が追加された検索語に基づいてタイトル検索用データベース１７より書籍のタイトルを検索する。
【００２１】
タイトル検索用データベース１７は、検索対象とされる文書情報の集合が蓄積されているデータベースである。したがって、本実施の形態において、タイトル検索用データベース１７は、少なくともタイトルの一覧を保持している。また、索引情報を保持していてもよい。格納されているタイトルの中身やタイトル以外に保持している情報の種類は関連語展開用データベース１６と異なっていても良いが、関連語展開用データベース１６のレコード数の方が多いことが望ましい（すなわち、関連語展開用データベース１６に蓄積されている文書情報の集合の方が、タイトル検索用データベース１７に蓄積されている文書情報の集合より大きいことが望ましい。）。
【００２２】
出力手段１５は、検索手段１４による検索結果を表示装置１０５に表示させたり、プリンタに出力したり、又は音声としてスピーカーに出力したりする。なお、最終的に得られる検索結果（検索手段１４による検索結果）は、タイトルの一覧である。関連語展開をしているので、タイトルの中に必ずしもユーザによって入力された検索語が含まれていなくてもよい。
【００２３】
以下、図２の文書検索装置１０の処理手順について説明する。図３は、第一の実施の形態における文書検索装置による検索処理を説明するためのフローチャートである。
【００２４】
ステップＳ１０１において、入力手段１１は、ユーザから検索語の入力を受け付ける。ここでは、 ユーザが「特許」に関係する書籍を探しているとする。したがって、ユーザは入力手段１１を用いて検索語「特許」を入力する。
【００２５】
ステップＳ１０１に続いてステップＳ１０２に進み、関連文書検索手段１２は、ユーザに入力された検索語に基づいて関連語展開用データベース１６より関連語展開のための文書情報（関連文書情報）を検索する。具体的には、関連文書検索手段１２は、入力手段１１から検索語「特許」を受け取り、当該検索語を検索単位に解析する（この例では関連語展開用データベース１６の索引は単語単位で構成されているとする。そのため検索単位は単語となる。）。その結果、関連文書検索手段１２は、検索語「特許」に、単語「特許」が含まれているという解析結果を得る（この例では検索語を解析して得られた単語集合は「特許」の一単語のみだが、検索語が複数単語からなれば単語集合が得られる。）。続いて、関連文書検索手段１２は、関連語展開用データベース１６から単語「特許」が含まれるタイトルの集合を関連文書情報として取得する。図４は、関連文書検索手段による検索結果としての関連文書情報の例を示す図である。
【００２６】
ステップＳ１０２に続いてステップＳ１０３に進み、関連語選択手段１３は、関連文書情報より関連語を抽出する。具体的には、例えば、図４に示されるようなタイトルの集合から以下のような単語が抽出される。
標準、テキスト、財産、意匠、商標、工業、所有、・・・
関連語選択手段１３は、抽出された関連語を、ユーザによって入力された検索語に追加する（Ｓ１０４）。
【００２７】
ステップＳ１０４に続いてステップＳ１０５に進み、検索手段１４は、関連語の追加された検索語（すなわち、ユーザによって入力された検索語と、関連語との単語の集合）に基づいて、タイトル検索用データベース１７より書籍のタイトルを検索する（この例ではタイトル検索用データベース１７の索引も単語単位で構成されているとする。そのため、検索語を再解析する必要はない。）。
【００２８】
図５は、書籍のタイトルの検索結果の例を示す図である。図５の検索結果に示されるように、検索語（「特許」）のみならず、関連語も用いて検索が実行されるため、タイトルに「特許」を含まなくとも、「特許」との関連が強いと判定されるタイトルの集合が取得され得る。
【００２９】
ステップＳ１０５に続いてステップＳ１０６に進み、出力手段１５は、取得されたタイトルの一覧を表示装置１０５に表示させる。
【００３０】
上述したように、第一の実施の形態における文書検索装置１０によれば、検索用のデータベース（タイトル検索用データベース１７）とは異なるデータベースより関連語展開のための関連語を抽出する。したがって、例えば、関連語展開に用いるデータベースを検索用データベースより大規模なものとすれば、ユーザによって入力された検索語に対する共起語を増やすことができ、多くの共起語の中から関連語を選択することができる。よって、たまたま共起した単語が関連語として選択され、不要な関連語が検索語に追加される可能性を低く抑えることができる。
【００３１】
また、類義語辞書等を必要としないため、類義語辞書の保守のようなコストのかかる作業の発生を抑制することができる。
【００３２】
なお、第一の実施の形態において、関連語展開用のデータベースを複数用意しておき、文書検索装置１０が関連語に適したデータベースを選択しても良い。例えば、入力された検索語がカタカナであればコンピュータ関連や化学関連の書籍データベースを選んだり、英字であれば洋書のデータベースを選んだりしてもよい。これによって、本来は共起しないような単語の出現確率自体を低く抑えることができる。
【００３３】
次に、第二の実施の形態について説明する。第二の実施の形態においても、書籍のタイトルを類似検索する例を説明する。
【００３４】
図６は、第二の実施の形態における文書検索装置の機能構成例を示す図である。図６中、図２と同一部分には同一符号を付し、その説明は省略する。
【００３５】
図６に示されるように、第二の実施の形態では、関連語展開用のデータベースとして複数のデータベース（関連語展開用データベース１６ａ、１６ｂ及び１６ｃ等、以下、総称する場合、「関連語展開用データベース１６」という。）が存在する。それぞれは、少なくとも書籍のタイトル情報を含んでいるものとする。また、第二の実施の形態における入力手段１１は、検索語の他に、関連語の取得先とするデータベースの指定をユーザより受け付ける。
【００３６】
以下、図６の文書検索装置１０の処理手順について説明する。図７は、第二の実施の形態における文書検索装置による検索処理を説明するためのフローチャートである。
【００３７】
ステップＳ２０１において、入力手段１１は、検索語と、関連語の取得先のデータベースの識別情報との入力をユーザより受け付ける。すなわち、ユーザは、関連語展開用データベース１６ａ、１６ｂ及び１６ｃ等のうち、いずれのデータベースを関連語の取得先とするかを指定する。
【００３８】
ステップＳ２０１に続いてステップＳ２０２に進み、関連文書検索手段１２は、検索語に基づいて、ユーザに指定された関連語展開用データベース１６より関連文書情報を検索する。
【００３９】
ステップＳ２０３以降は、第一の実施の形態におけるステップＳ１０３以降と同様の処理であるため、その説明は省略する。
【００４０】
上述したように、第二の実施の形態における文書検索装置１０によれば、ユーザの判断によって、関連語展開に適したデータベースの選択されるため、本来は共起しないような単語の出現確率自体をより低く抑えることができる。
【００４１】
なお、複数存在する各関連語展開用データベース１６に蓄積されている情報は、文書情報に係る所定の属性（例えば書籍の分野等）によって分類されていてもよい。このような場合、予め書籍の分野とそれぞれのデータベースとを関連付けておき、ユーザには、データベースの識別情報ではなく、書籍の分野を指定させるようにしてもよい。
【００４２】
次に、第三の実施の形態について説明する。第三の実施の形態においても、書籍のタイトルを類似検索する例を説明する。
【００４３】
第三の実施の形態における文書検索装置１０の機能構成例は、第一の実施の形態（図２）又は第二の実施の形態（図６）におけるものと同様でよい。但し、関連語展開用データベース１６には、各書籍のタイトルの他に、当該書籍の分野を示す情報（以下「分野情報」という。）も蓄積されているものとする。
【００４４】
また、第三の実施の形態における文書検索装置１０の処理手順は、第一の実施の形態（図３）又は第二の実施の形態におけるものと基本的には同様である。但し、関連語展開用データベース１６には、分野情報も含まれているため、ステップＳ１０２又はＳ２０２において関連文書検索手段１２によって取得される関連文書情報には、タイトルの他に分野情報も含まれている。
【００４５】
また、分野情報をも含む関連文書情報からの関連語の抽出処理（Ｓ１０３又はＳ２０３）は、以下のように行われる。
【００４６】
すなわち、関連語選択手段１３は、関連語展開のための検索で得られた上位Ｎ件のタイトルから単純に関連語を取得するのではなく、以下の方法で関連語展開の対象データ（関連語の抽出対象とする関連文書情報）を選択する。
【００４７】
図８は、関連語展開の対象データの選択方法を説明するための図である。図８に示されるように、関連語展開の対象データは、以下の手順で選択される。
（１）上位Ｎ件のタイトルと分野を取得する。
（２）分野ごとに、当該分野に属する件数を算出する。図８の例では、「実用」が１０件、「学習」が４件、「娯楽」が２件として算出されている。
（３）算出した件数が最も多い分野に属する書籍のタイトルの集合を関連語展開の対象データとする。図８の例では、「実用」に属する書籍のタイトルの集合が関連語展開の対象データとされる。
【００４８】
また、最多件数の分野だけから取得するのではなく、各分野の件数に応じた重み付けを行い、関連語を取得しても良い。また、著者や出版社を含む検索結果を取得して、分野の代わりに著者や出版社に基づいて分類しても良い。また、出版日を含む検索結果を取得し、最近出版された書籍に大きな重みを付けても良い。また、これらを組み合わせて利用しても良い。
【００４９】
以降、このようにして選択されたタイトルの集合より関連語が抽出され、ステップＳ１０４（又はＳ２０４）以降と同様の処理が実行される。
【００５０】
上述したように、第三の実施の形態における文書検索装置１０によれば、関連語展開で用いるデータベースに、関連語にはならない書籍の分野や著者等のタイトル以外のデータを入れ、それらを関連語の判定に用いる。したがって、本来は共起しないような単語が関連語として選択され、不要な関連語が検索語に追加される可能性を更に抑えることができる
次に、第四の実施の形態について説明する。第四の実施の形態においても、書籍のタイトルを類似検索する例を説明する。図９は、第四の実施の形態における文書検索装置の機能構成例を示す図である。図９中、図２と同一部分には同一符号を付し、その説明は省略する。
【００５１】
図９に示されるように、第四の実施の形態における入力手段１１は、検索語の他に関連語展開用の書籍の分野の指定をユーザより受け付ける。また、第四の実施の形態における関連語展開用データベース１６には、各書籍のタイトルの他に、当該書籍の分野を示す情報（分野情報）も蓄積されているものとする。
【００５２】
以下、図９の文書検索装置１０の処理手順について説明する。図１０は、第四の実施の形態における文書検索装置による検索処理を説明するためのフローチャートである。
【００５３】
ステップＳ４０１において、入力手段１１は、検索語と、関連語展開用の分野との入力をユーザより受け付ける。ステップＳ４０１に続いてステップＳ４０２に進み、関連文書検索手段１２は、検索語に基づいて、ユーザに指定された関連語展開用データベース１６より関連文書情報を検索する。ここで取得される関連文書情報には、タイトルの他に分野情報も含まれている。
【００５４】
ステップＳ４０２に続いてステップＳ４０３に進み、関連語選択手段１３は、関連文書情報より関連語を抽出する。ここで、関連語選択手段１３は、まず、書籍の分野をも含む関連文書情報からユーザによって指定された分野に係るタイトルの集合を抽出する。
【００５５】
図１１は、ユーザによって指定された分野に係るタイトルの集合の抽出例を示す図である。図１１は、関連語展開用の分野として「実用」が指定された場合に抽出されたタイトルの集合（Ｎ件）が示されている。
【００５６】
続いて、関連語選択手段１３は、図１１のように抽出されたタイトルの集合から、関連語を抽出する。
【００５７】
以降の処理（Ｓ４０４〜Ｓ４０６）は、第一の実施の形態（Ｓ１０４〜Ｓ１０６）と同様である。
【００５８】
なお、関連語展開用の判定条件は、第三の実施の形態において挙げたように書籍の分野以外を用いても良い。また、文書検索装置１０は、関連語の取得時に関連語の判定条件をユーザにインタラクティブに指定させても良い。
【００５９】
上述したように、第四の実施の形態における文書検索装置１０によれば、ユーザの補助により、関連語展開に適した検索条件や関連語の判定に適した条件を設定できるので、本来は共起しないような単語の出現確率と選択確率を低く抑えることができ、不要な関連語が検索語に追加される可能性を更に低く抑えることができる。
【００６０】
なお、上記において、データベースが異なるとは、データベースシステムが別である場合の他、同一のデータベースシステム内においてテーブルが異なる場合も含まれる。したがって、ハードウェア的に別の記憶装置に構築されていることに限定する意味ではない。
【００６１】
なお、上記第一から第四の実施の形態における文書検索装置は、書籍検索システムのみならず、その他の検索システム一般に適用可能である。但し、検索対象が書籍のタイトルのように短い方が望ましい。また、例えば、特許に関する文献や、論文、ニュース等、検索対象のデータがある程度細かく分類されていて、かつ、各分類内で共通して用いられる語句が多いと、より望ましい。
【００６２】
以上、本発明の実施例について詳述したが、本発明は係る特定の実施形態に限定されるものではなく、特許請求の範囲に記載された本発明の要旨の範囲内において、種々の変形・変更が可能である。
【図面の簡単な説明】
【００６３】
【図１】本発明の実施の形態における文書検索装置のハードウェア構成例を示す図である。
【図２】第一の実施の形態における文書検索装置の機能構成例を示す図である。
【図３】第一の実施の形態における文書検索装置による検索処理を説明するためのフローチャートである。
【図４】関連文書検索手段による検索結果としての関連文書情報の例を示す図である。
【図５】書籍のタイトルの検索結果の例を示す図である。
【図６】第二の実施の形態における文書検索装置の機能構成例を示す図である。
【図７】第二の実施の形態における文書検索装置による検索処理を説明するためのフローチャートである
【図８】関連語展開の対象データの選択方法を説明するための図である。
【図９】第四の実施の形態における文書検索装置の機能構成例を示す図である。
【図１０】第四の実施の形態における文書検索装置による検索処理を説明するためのフローチャートである
【図１１】ユーザによって指定された分野に係るタイトルの集合の抽出例を示す図である。
【符号の説明】
【００６４】
１０          文書検索装置
１１          入力手段
１２          関連文書検索手段
１３          関連語選択手段
１４          検索手段
１５          出力手段
１６、１６ａ、１６ｂ、１６ｃ    関連語展開用データベース
１７          タイトル検索用データベース
１００        ドライブ装置
１０１        記録媒体
１０２        補助記憶装置
１０３        メモリ装置
１０４        演算処理装置
１０５        表示装置
１０６        入力装置
【図１】
2007133769.tif 000003
【図２】
2007133769.tif 000004
【図３】
2007133769.tif 000005
【図４】
2007133769.tif 000006
【図５】
2007133769.tif 000007
【図６】
2007133769.tif 000008
【図７】
2007133769.tif 000009
【図８】
2007133769.tif 000010
【図９】
2007133769.tif 000011
【図１０】
2007133769.tif 000012
【図１１】
2007133769.tif 000013